(57)【特許請求の範囲】
【請求項１】
所定の遊技媒体を用いて遊技を行う遊技機であって、
視覚的な演出に用いる１以上の画像データを格納している記憶手段と、
当該遊技機の統括的な制御を行なうメイン制御手段と、
所定の演出を行う１以上の演出手段と、
所定の操作手段の操作状況に応じた信号及び／又は前記メイン制御手段からのコマンドを受信する受付手段と、
前記メイン制御手段から受信したコマンド及び／又は前記操作手段から受信した信号に基づいて、所定の演出手段の制御を行なうサブ制御手段と、
を備え、
前記サブ制御手段は、
前記コマンドまたは前記信号に基づき演出パターンを決定し、読み出すべき画像データを指定する第一手段と、
前記第一手段で指定された画像データを、前記記憶手段から読み出す第二手段とを備え、
前記第一手段は、
前記演出パターンとして、前記信号を有効に受け付け可能な特定演出を含む演出パターンを決定した場合、前記特定演出に含まれる演出であり、前記操作手段が操作されたことに対応する信号を受信した場合に実行される演出である操作後特定演出に対応する画像データを、所定タイミングの前までに先読みするように前記第二手段に対して指示し、前記特定演出に含まれる演出であり、前記操作手段が操作されたことに対応する信号を受信するまでに実行される演出である操作前特定演出に対応する画像データを、演出の進行に応じて読み出すように前記第二手段に指示する遊技機。
【請求項２】
前記サブ制御手段は、
前記先読みする画像データに対応付けて、先読みすることを示す先読みフラグを保持しており、
前記第一手段は、
前記先読みすることを示す先読みフラグに対応する画像データを先読みするように前記第二手段に対して指示し、前記先読みすることを示す先読みフラグに対応しない画像データを演出の進行に応じて読み出すように前記第二手段に指示する請求項１記載の遊技機。
【請求項３】
前記所定タイミングの前は、変動開始時の前、または特定演出の開始時からボタン操作有効期間の開始前までの期間のいずれかである請求項１または請求項２記載の遊技機。
【発明の詳細な説明】
【技術分野】
【０００１】
本発明は、高品質な演出を可能にする遊技機等に関するものである。
【背景技術】
【０００２】
従来、多種多様な演出を実現するために複数のＲＯＭを使用する演出出力を多層的に活用することにより、より多彩な演出を実現可能とすることを目的とする遊技機があった（例えば、特許文献１参照）。
【０００３】
本遊技機において、ドラムのワイヤフレームモデルをワイヤフレームメモリに格納し、特別図柄が描かれた円筒形のドラムが加速するときの連続映像と、一定速度で回転している時の連続映像と、減速している時の連続映像とを特図映像ＲＯＭに格納し、表示される画像の中でも使用頻度の高いキャラクタ画像データをキャラクタＲＯＭに格納する。そして、識別情報の変動表示を行うときには、ＶＤＰは、仮想空間上でドラムのワイヤフレームモデルを合成し、これに特図映像ＲＯＭから読み出した映像を順次マッピングすることにより、大量のポリゴンの回転操作を行うことなく、ドラムが回転している状態の画像を合成する。映像がマッピングされたドラムを仮想画面に投影して得られた画像を、仮想視点や仮想画面の位置を変化させながら作成し、ＬＣＤ駆動回路を介して表示装置に表示する。
【先行技術文献】
【特許文献】
【０００４】
【特許文献１】特開２００４−２０１９９７（第１頁、第１図等）
【発明の概要】
【発明が解決しようとする課題】
【０００５】
しかしながら、従来の遊技機においては、画像データ容量の増大や表示態様の多様化等に伴って処理負荷が増加した場合には、高品質な演出の実現に支障をきたすおそれがあった。
【課題を解決するための手段】
【０００６】
本第一の発明の遊技機は、所定の遊技媒体を用いて遊技を行う遊技機であって、視覚的な演出に用いる１以上の画像データを格納している記憶手段と、遊技機の統括的な制御を行なうメイン制御手段と、所定の演出を行う１以上の演出手段と、所定の操作手段の操作状況に応じた信号及び／又は前記メイン制御手段からのコマンドを受信する受付手段と、メイン制御手段から受信したコマンド及び／又は操作手段から受信した信号に基づいて、所定の演出手段の制御を行なうサブ制御手段と、を備え、サブ制御手段は、コマンドまたは信号に基づき演出パターンを決定し、読み出すべき画像データを指定する第一手段と、第一手段で指定された画像データを、記憶手段から読み出す第二手段とを備え、第一手段は、演出パターンとして、信号を有効に受け付け可能な特定演出を含む演出パターンを決定した場合、特定演出に対応する一部または全部の画像データに関して、画像データを表示する所定タイミングの前までに、一部または全部の画像データの読み出しを第二手段に指示し、所定タイミングの前までに読み出す画像データ以外の演出パターンに係る画像データに関して、演出の進行に応じて、画像データの読み出しを第二手段に指示する遊技機である。
【０００７】
かかる構成により、処理能力が低いＣＰＵ等を利用した場合でも、特定演出において、高品質な演出を行うことができる。
【０００８】
また、本第二の発明の遊技機は、第一の発明に対して、特定演出は、操作手段が操作されたことに対応する信号を受信するまでに実行される操作前特定演出と、操作手段が操作されたことに対応する信号を受信した場合に実行される操作後特定演出とで構成され、第一手段は、操作後特定演出に対応する画像データの読み出しを、所定タイミングの前までに第二手段に対して指示し、操作前特定演出に対応する画像データの読み出しを、演出の進行に応じて指示する遊技機である。
【０００９】
かかる構成により、処理能力が低いＣＰＵ等を利用した場合でも、操作後特定演出において、高品質な演出を行うことができる。
【００１０】
また、本第三の発明の遊技機は、第一または第二の発明に対して、サブ制御手段は、コマンドまたは信号と、演出パターンと、読み出すべき１以上の画像データを識別する１以上の画像識別子とを対応付ける１以上の演出パターン情報を格納しており、第一手段は、受信されたコマンド及び／又は受信された信号に対応する演出パターンを、１以上の演出パターン情報から取得し、取得した演出パターン情報に対応する１以上の画像識別子を取得し、取得した１以上の画像識別子で識別される画像データを読み出すべき画像データとして指定する遊技機である。
【００１１】
かかる構成により、処理能力が低いＣＰＵ等を利用した場合でも、特定演出において、高品質な演出を行うことができる。
【００１２】
また、本第四の発明の遊技機は、第一から第三いずれかの発明に対して、前記第二手段による画像データの読み出し単位は、第一単位と、当該第一単位よりもサイズが大きい第二単位とを選択可能に構成され、前記画像データは、前記第一単位よりもデータサイズの小さい第一画像データと、前記第一単位よりもデータサイズの大きい第二画像データとを含み、前記特定演出に対応する一部又は全部の画像データは前記第二画像データである遊技機である。
【００１３】
かかる構成により、処理能力が低いＣＰＵ等を利用した場合でも、特定演出において、データサイズが大きい画像を用いた高品質な演出を行うことができる。
【００１４】
また、本第五の発明の遊技機は、第二から第四いずれかの発明に対して、操作前特定演出に対応する画像データの一部又は全部は、第一画像データである、遊技機である。
【００１５】
かかる構成により、適切な操作前特定演出を実現できる。
また、本第六の発明の遊技機は、第二から第四いずれかの発明に対して、操作後特定演出に対応する画像データの一部又は全部は、第二画像データである、遊技機である。
かかる構成により、適切な操作後特定演出を実現できる。
【発明の効果】
【００１６】
本発明による遊技機によれば、処理能力が低いＣＰＵ等を利用した場合でも、高品質な演出を行うことができる。
【図面の簡単な説明】
【００１７】
【図１】実施の形態１における遊技機１のブロック図
【図２】同遊技機１の動作について説明するフローチャート
【図３】同遊技機１の制御系のハードウェアブロック図
【図４】同ＲＯＭ４３ａ１から情報を読み出す処理について説明する図
【図５】同演出パターン対応表を示す図
【図６】同演出パターン管理表を示す図
【図７】同演出パターンの例を示す図
【発明を実施するための形態】
【００１８】
以下、遊技機等の実施形態について図面を参照して説明する。なお、実施の形態において同じ符号を付した構成要素は同様の動作を行うので、再度の説明を省略する場合がある。
【００１９】
（実施の形態１）
本実施の形態において、画像データの読み出し方法に特徴を有する遊技機１について説明する。なお、遊技機とは、所定の遊技媒体を用いて遊技を行う機器であれば良く、パチンコ遊技機、パチスロ遊技機等を含む。また、遊技媒体とは、例えば、遊技球、カード、コイン等、遊技に用いる媒体であれば何でも良い。
【００２０】
図１は、本実施の形態における遊技機１のブロック図である。遊技機１は、記憶手段１１、操作手段１２、受付手段１３、メイン制御手段１４、サブ制御手段１５、および１以上の演出手段１６を備える。
【００２１】
また、サブ制御手段１５は、第一手段１５１、第二手段１５２を備える。
【００２２】
なお、図１のブロック図において、本発明に対して付加的な手段（例えば、払出手段など）について省略している。
【００２３】
記憶手段１１は、１以上の画像データを格納している。画像データは、視覚的な演出に用いられる。また、画像データには、第一画像データと、第一画像データよりもデータサイズの大きい第二画像データとの、２以上の種類があることは好適である。また、操作前特定演出に対応する画像データの一部又は全部は、第一画像データであることは好適である。さらに、操作後特定演出に対応する画像データの一部又は全部は、第二画像データであることは好適である。
【００２４】
また、記憶手段１１は、２種類以上の読み出し単位が存在しても良い。読み出し単位とは、記憶手段１１に格納されている情報を読み出す単位である。なお、種類が異なる読み出し単位とは、情報を読み出すサイズが異なる読み出し単位である。また、情報を読み出す単位は、情報を一度に読み出す単位を含む概念である。
【００２５】
また、読み出し単位は、例えば、第１サイズの大きさの領域を単位として読み出される第一単位、および前記第１サイズよりも大きいサイズの領域を単位として読み出される第二単位を含む。また、記憶手段１１における第一単位と第二単位とは、通常、選択可能に構成されている。ここで言う選択可能とは、一度選択されるとその後、選択された読み出し単位で固定的に読み出されるものや、画像サイズに応じて適宜読み出し単位が変更されて選択を行なうものなどが該当する。また、第一単位は、例えば、１Ｋバイトであり、第二単位は、例えば、２Ｋバイトである。
【００２６】
また、例えば、記憶手段１１の第一単位は１ページ毎に読み出す読み出し単位であり、第二単位は２ページを連続して読み出す読み出し単位である。ここでページとは、固定のサイズ（例えば、１Ｋバイト）を有する。
【００２７】
また、記憶手段１１の画像データは、例えば、２種類以上の異なる種類の図柄である。かかる場合、図柄の種類は、例えば、「基本画面関係」「モード画面関係」「リーチ」「特殊演出」「予告」「大当り関係」「その他」である。「基本画面関係」に分類される図柄は、基本画面で用いられる図柄であり、複数の表示部（図示しない）に表示される装飾図柄（例えば、７・３・１などの数字で構成される図柄。特別装飾図柄）、保留個数に対応した表示を行う為の保留図柄、遊技状態（高確率状態、低確率状態など）に応じた背景図柄、通常変動（リーチなしはずれ変動）などが該当する。また、「モード画面関係」に分類される図柄は、モード画面で用いられる背景図柄である。また、「リーチ」に分類される図柄は、各種リーチ（ノーマルリーチ、スーパーリーチなどの動画）の状態の場合に用いられる図柄である。また、「特殊演出」に分類される図柄は、特殊演出の際に用いられる図柄である。また、「予告」に分類される図柄は、予告に用いられる図柄である。また、「大当り関係」に分類される図柄は、大当りの際に用いられる図柄である。「その他」に分類される図柄は、分類のいずれにも属さない図柄である。なお、「特殊演出」は、「発展演出」「イベント演出」「復活演出」「再抽選」という具合に、さらに細分化されていても良い。また、「予告」は、「通常背景」「特殊モード」「潜確モード」「ＳＴモード中」「リーチ中予告」「大当り中予告」等と、さらに細分化されていても良い。さらに、「大当り関係」も、「大当りラウンド基本構成」「大当り開始インターバル」「右打ち示唆」「大当りラウンド演出」「大当り終了インターバル」等と、さらに細分化されていても良い。
【００２８】
なお、装飾図柄、普通図柄、特別図柄、および第４図柄は、表示される各種図柄を構成する情報であれば、データ構造等、問わない。
【００２９】
記憶手段１１は、ＲＯＭ等の不揮発性の記録媒体が好適であるが、ＲＡＭ等の揮発性の記録媒体でも実現可能である。また、記憶手段１１は、物理的に２以上の記録媒体で実現されていても良い。
【００３０】
操作手段１２は、遊技者により操作される。ここでの操作とは、例えば、ボタン演出を発生させるためのボタン操作である。ボタン操作は、遊技者による任意のタイミングで演出に変化をもたらす操作である。かかる演出は、例えば、特定演出を構成する。特定演出は、例えば、操作手段１２が操作される前に行なわれる操作前特定演出と、操作手段１２が操作された場合に行なわれる操作後特定演出とで構成される。また、操作前特定演出は、例えば、ボタン操作を促す演出であり、遊技機に設けたられたボタンと形態の類似するボタン画像を表示すると共に、このボタン画像に対して、操作することを促す画像である操作促し画像が該当する。なお、操作促し画像は、例えば「PUSH！」である。勿論、ボタン画像、操作促し画像それぞれが操作前特定演出に該当する、としてもよい。また、操作前特定演出は、操作手段１２が操作されたことに対応する信号が受付手段１３により受信されるまでに実行される演出である、とも言える。さらに、操作後特定演出は、例えば、キャラクタによるカットイン表示、噴出し表示、エフェクト表示などの演出が該当する。また、操作後特定演出は、操作手段１２が操作されたことに対応する信号を受信した場合に実行される演出である、とも言える。
【００３１】
受付手段１３は、所定の操作手段１２の操作状況に応じた信号を操作手段１２から受信する。ここでの受信とは、信号を取得すれば良い意味である、信号の受信の手段は問わない。また、受付手段１３は、メイン制御手段１４からのコマンドを受信する手段としての機能を包含するものであっても良い。
【００３２】
メイン制御手段１４は、遊技機１の統括的な制御を行なう。統括的な制御の具体例については後述する。
【００３３】
サブ制御手段１５は、メイン制御手段１４から受信したコマンド及び／又は操作手段１２から受信した信号に基づいて、所定の演出手段１６の制御を行なう。なお、受信した信号を、適宜、受信信号とも言う。
【００３４】
また、サブ制御手段１５は、例えば、１以上の演出パターン情報を格納している。演出パターン情報は、コマンドまたは信号と、演出パターンと、読み出すべき１以上の画像データとを対応付ける情報である。演出パターン情報は、例えば、コマンドまたは信号を識別する識別子、演出パターンを識別する演出パターン識別子、１以上の画像識別子を有する。
【００３５】
また、演出パターン情報は、例えば、特定演出に対応する一部または全部の画像データを識別する画像識別子を有することは好適である。また、演出パターン情報は、例えば、操作後特定演出に対応する一部または全部の画像データを識別する画像識別子を有することは好適である。なお、かかる画像識別子に対応する画像データは、当該画像データを表示する所定タイミングの前までに、先読みされる画像データである。
【００３６】
サブ制御手段１５を構成する第一手段１５１は、受信したコマンドまたは受信信号に基づき演出パターンを決定し、読み出すべき画像データを指定する。画像データの指定とは、例えば、画像識別子の取得である。
【００３７】
第一手段１５１は、演出パターンとして、受信信号を有効に受け付け可能な特定演出を含む演出パターンを決定した場合、当該演出パターンに含まれる特定演出に対応する一部または全部の画像データに関して、画像データを表示する所定タイミングの前までに、一部または全部の画像データの読み出し（先読みすること）を第二手段１５２に指示する。ここで、画像データの読み出しの指示とは、例えば、読み出すべき画像データの画像識別子を送付することである。
【００３８】
また、第一手段１５１は、所定タイミングの前までに読み出す画像データ以外の画像データに関して、演出の進行に応じて、画像データの読み出しを第二手段１５２に指示する。なお、かかる画像データも、特定演出を含む演出パターンに係る画像データである。
【００３９】
また、第一手段１５１は、操作後特定演出に対応する画像データの読み出しを、所定タイミングの前までに第二手段１５２に対して指示し、かつ、操作前特定演出に対応する画像データの読み出しを、演出の進行に応じて指示する。なお、ここでは、操作後特定演出に対応する画像データを先読みし、操作前特定演出に対応する画像データを演出の進行に応じて読み出すことができれば良い。
【００４０】
第一手段１５１は、受信されたコマンド及び／又は受信された信号に対応する演出パターンを、１以上の演出パターン情報から取得し、当該取得した演出パターンに対応する１以上の画像識別子を取得し、取得した１以上の画像識別子で識別される画像データを読み出すべき画像データとして指定する。なお、演出パターンの取得とは、演出パターンを決定することでも良い。つまり、演出パターンの取得とは、演出パターンを識別する識別子の取得でも良いし、後述する演出制御情報の取得等でも良い。
【００４１】
第二手段１５２は、第一手段１５１で指定された画像データを、記憶手段１１から読み出す。また、第二手段１５２は、第二画像データを第二単位で読み出すことは好適である。
【００４２】
１以上の各演出手段１６は、所定の演出を行う。通常、演出手段１６によって、演出の内容が異なる。
【００４３】
次に、遊技機１の動作について、図２のフローチャートを用いて説明する。なお、図２のフローチャートは、サブ制御手段１５が行う演出制御の動作を中心に説明している。
【００４４】
（ステップＳ２０１）サブ制御手段１５は、メイン制御手段１４からコマンドを受信したか否か、および操作手段１２から信号を受信したか否かを判断する。コマンドまたは信号を受信すればステップＳ２０２に行き、コマンドまたは信号を受信しなければステップＳ２０１に戻る。
【００４５】
（ステップＳ２０２）サブ制御手段１５は、ステップＳ２０１で受け付けたコマンドまたは信号が、演出に関するコマンドまたは信号であるか否かを判断する。演出に関するコマンドまたは信号であればステップＳ２０３に行き、演出に関するコマンドまたは信号でなければステップＳ２０８に行く。
【００４６】
（ステップＳ２０３）サブ制御手段１５を構成する第一手段１５１は、ステップＳ２０１で受け付けたコマンドまたは信号に対応する演出パターンを決定する。
【００４７】
（ステップＳ２０４）第一手段１５１は、ステップＳ２０３で決定した演出パターンが、特定演出を含むか否かを判断する。特定演出を含む場合はステップＳ２０５に行き、特定演出を含まない場合はステップＳ２０７に行く。なお、第一手段１５１は、例えば、決定した演出パターンに対応する演出パターン情報を取得し、当該演出パターン情報を用いて、特定演出を含むか否かを判断する。なお、ここでの特定演出は、コマンドまたは信号を有効に受け付け可能な特定演出である。
【００４８】
（ステップＳ２０５）第一手段１５１は、特定演出に対応する１以上の画像データの読み出しを、第二手段１５２に指示する。なお、かかる読み出しは、画像データの先読みである。また、第一手段１５１は、例えば、特定演出に対応する１以上の画像識別子を、演出パターン情報から取得する。
【００４９】
（ステップＳ２０６）第二手段１５２は、ステップＳ２０５で指示された１以上の画像データを、記憶手段１１から読み出す。なお、第二手段１５２は、画像データを表示するまでの所定タイミングの前までに、画像データを読み出す。
【００５０】
（ステップＳ２０７）１以上の各演出手段１６は、演出パターンに従った演出を行う。なお、各演出手段１６のうち画像表示手段（図示しない）は、所定の特定演出の際には、ステップＳ２０６で先読みした１以上の画像データを用いる。なお、画像表示手段は、画像を表示する機能を有する。
【００５１】
また、上記の特定演出以外の場合は、第一手段１５１は、演出の進行に応じて、演出に使用する１以上の画像データの読み出しを、第二手段１５２に指示する。そして、第二手段１５２は、指示された１以上の画像データを記憶手段１１から読み出す。そして、１以上の各演出手段１６は、読み出された画像データを用いて、演出パターンに従った演出を行う。
【００５２】
（ステップＳ２０８）図示しない手段は、ステップＳ２０１で受け付けたコマンドまたは信号に応じた処理を行う。なお、例えば、コマンドまたは信号が異常に関するコマンドまたは信号である場合、各演出手段１６は、所定の報知処理（発光、警告音など）を行う。遊技機の報知処理について、公知技術であるので説明を省略する。
【００５３】
なお、図２のフローチャートにおいて、電源オフや処理終了の割り込みにより処理は終了する。
また、図２のフローチャートのステップＳ２０３において、サブ制御手段１５を構成する第一手段１５１は、ステップＳ２０１で受け付けた信号が受信信号である場合のみ、当該受信信号に対応する演出パターンを決定しても良い。つまり、ステップＳ２０１でメイン制御手段１４からのコマンドが受け付けられた場合、ステップＳ２０２における判断が「Ｎ」であり、制御がステップＳ２０８に移行しても良い。
【００５４】
以下、本実施の形態における遊技機１の具体的な動作について説明する。図３は、遊技機１の制御系のハードウェアブロック図の例である。ここでは、遊技機１はパチンコ機である。
【００５５】
図３において、遊技機１は、遊技機１を制御する各種制御手段（メイン制御手段１４、サブ制御手段１５等）が装備された基板を所定位置に配設する。かかる基板として、主制御基板４０、払出制御基板４１、演出制御基板４２、液晶表示制御基板４３、電源基板４４がある。制御基板４０〜４４は別体に構成されて、電気的に接続されている。また、主制御基板４０と払出制御基板４１と演出制御基板４２と液晶表示制御基板４３とには、それぞれＣＰＵとＲＯＭとＲＡＭからなるマイクロコンピュータと入出力インタフェイスが設けられている。なお、上記の制御機構は、通常、遊技機１の前枠の裏側に存在する。
【００５６】
なお、図３のブロック図におけるＲＯＭ４３ａ１は、図１の遊技機１の記憶手段１１に該当する。また、図３のブロック図の主制御基板４０は、メイン制御手段１４に該当する。また、図３の払出制御基板４１および払出機構４８は、図示しない払出手段に該当する。また、図３の演出制御基板４２と液晶表示制御基板４３は、サブ制御手段１５に該当する。また、図３のＬＣＤユニット、スピーカ５５、装飾ランプ群５６、および役物移動モータ３７とは、それぞれ演出手段１６に該当する。
【００５７】
また、図１の受付手段１３は、図３の演出制御基板４２が具備する。
【００５８】
また、ここでは、ＲＯＭ４３ａ１（記憶手段１１）は、２種類以上の読み出し単位が存在する、とする。この読み出し単位は、１ページ毎に読み出す読み出し単位である第一単位と、２ページを連続して読み出す読み出し単位である第二単位である、とする。ここでページとは、固定のサイズ（例えば、１Ｋバイト）を有する。
【００５９】
そして、第二単位は、例えば、偶数ページを読み出しの開始ページであるとしても良い。かかる場合のＲＯＭ４３ａ１から情報を読み出す処理について、図４を用いて説明する。
【００６０】
例えば、図４（ａ）に示すように、ＲＯＭ４３ａ１のページｐ（ｐは１以上の整数であり、ページ番号である、とする。）とページｐ＋１に情報（例えば、図柄）が跨って格納されている、とする。そして、ページｐとページｐ＋１とは、第一単位である、とする。つまり、図４（ａ）の場合は、第一単位のページまたぎの場合である。かかる場合、第二手段１５２は、まず、読み取るページをページｐに切り替える。ここでのページ切り替えは、非連続ページ切り替えである。次に、第二手段１５２は、ページｐを読み込み、情報８１を取得する。次に、情報を読み取る手段は、読み取るページをページｐ＋１に切り替える。ここでのページ切り替えも、非連続ページ切り替えである。最後に、情報を読み取る手段は、ページｐ＋１を読み込み、情報８２を取得する。そして、ページｐ＋１を読み捨てる。
【００６１】
また、例えば、図４（ｂ）に示すように、ＲＯＭ４３ａ１のページ２ｐ（ｐは１以上の整数であり、ページ番号である、とする。）とページ２ｐ＋１に情報（例えば、図柄）が跨って格納されている、とする。そして、ページ２ｐとページ２ｐ＋１とは、第二単位である、とする。つまり、図４（ｂ）の場合は、第二単位の偶数ページまたぎの場合である。かかる場合、第二手段１５２は、まず、読み取るページをページ２ｐに切り替える。ここでのページ切り替えは、非連続ページ切り替えである。次に、第二手段１５２は、ページ２ｐを読み込み、情報８３を取得する。次に、情報を読み取る手段は、読み取るページをページ２ｐ＋１に切り替える。ここでのページ切り替えは、連続ページ切り替えである。なお、連続ページアクセス（連続ページ切り替えを含むアクセス）の方が非連続ページアクセス（非連続ページ切り替えを含むアクセス）より速い。最後に、第二手段１５２は、ページ２ｐ＋１を読み込み、情報８４を取得する。そして、ページ２ｐ＋１を読み捨てる。なお、例えば、図４（ｂ）において、第二手段１５２は、ページ２ｐとページ２ｐ＋１とを一度に読み出しても良い。かかる場合、第二手段１５２は、情報８５を一度に取得できる。
【００６２】
また、例えば、図４（ｃ）に示すように、ＲＯＭ４３ａ１のページ２ｐ−１（ｐは１以上の整数であり、ページ番号である。）とページ２ｐに情報（例えば、図柄）が跨って格納されている、とする。そして、ページ２ｐ−１とページ２ｐとページ２ｐ＋１とは、第二単位である、とする。つまり、図４（ｃ）の場合は、第二単位の奇数ページまたぎの場合である。かかる場合、情報を読み取る手段は、まず、読み取るページをページ２ｐ−１に切り替える。ここでのページ切り替えは、非連続ページ切り替えである。次に、第二手段１５２は、ページ２ｐ−１を読み込み、情報８６を取得する。次に、情報を読み取る手段は、読み取るページをページ２ｐに切り替える。ここでのページ切り替えは、非連続ページ切り替えである。次に、第二手段１５２は、ページ２ｐを読み込み、情報８７を取得する。そして、ページ２ｐを読み捨てる。次に、第二手段１５２は、読み取るページをページ２ｐ＋１に切り替える。ここでのページ切り替えは、連続ページ切り替えである。最後に、第二手段１５２は、ページ２ｐ＋１を読み捨てる。つまり、第二単位の奇数ページまたぎの場合、無駄な読み捨て割合が大きくなる。
【００６３】
なお、ページについて、例えば、ブロック等の他の用語を用いるようにしても良い。また、図４（ｂ）（ｃ）から、例えば、閾値より大きいサイズ（ここでは、１Ｋより大きいサイズ）を有する画像データをＲＯＭ４３ａ１に格納する場合、当該画像データは、第二単位の読み出し単位のページに格納され、かつ偶数ページまたぎとなるように格納されることが好適である。偶数ページまたぎとなるような格納は、偶数ページから画像データを格納することである。
【００６４】
また、読み出し単位は、通常、読み出し単位の種類を示す読み出し単位種識別子と対応付いている。読み出し単位種識別子は、例えば、ＰＡＧＥＳというフラグを示す変数で示され、「ＰＡＧＥＳ＝０」の読み出し単位は、閾値以下の（閾値より小さい）サイズの画像データが格納される第一単位であり、「ＰＡＧＥＳ＝１」のページは、閾値より大きい（閾値以上）のサイズの画像データが格納される第二単位である。なお、ＰＡＧＥＳのフラグは、例えば、ページのヘッダーに格納されている。また、読み出し単位種識別子は、読み出し単位の種類を識別できれば良く、そのデータ構造等は問わない。
【００６５】
また、データサイズが、通常、大きい装飾図柄は、第二単位に配置することは好適である。また、データサイズが、通常、小さい図柄（例えば、普通図柄、特別図柄、または第４図柄）は第一単位に配置することは好適である。
【００６６】
また、一の種類の画像データ（例えば、装飾図柄）がイメージ本体であるカラーデータと、カラーデータから独立した補助データとを有する場合、カラーデータはＲＯＭ４３ａ１の第二単位に配置され、補助データはＲＯＭ４３ａ１の第一単位に配置されても良い。なお、補助データは、例えば、カラーデータから独立したアルファテーブル、カラーパレット等である。アルファテーブルとは、ドットごとのアルファ値のテーブルである。
【００６７】
また、図３に示すように、主制御基板４０には、普通入賞口ＳＷ群６１、第１特別図柄始動入賞口ＳＷ６２、第２特別図柄始動入賞口ＳＷ６３、普通図柄始動口ＳＷ６４、大入賞口ＳＷ６５、第２特別図柄始動入賞口２０の開閉ＳＯＬ６６、大入賞口２３の開閉ＳＯＬ６７、図柄表示基板２４、ランプ表示基板２２が接続されている。
【００６８】
かかる図３の遊技機１において、主制御基板４０のメイン制御手段１４は、ＳＷ６２〜６５からのＳＷ信号に基づいて、第２特別図柄始動入賞口２０の開閉ＳＯＬ６６、大入賞口２３の開閉ＳＯＬ６７、図柄表示基板２４の第１特別図柄表示部２５、第２特別図柄表示部２６、および遊技状態報知表示部２７を直接的に制御すると共に、払出制御基板４１の払出制御手段４１ａと、演出制御基板４２のサブ制御手段１５と、液晶表示制御基板４３の液晶表示制御手段４３ａに制御コマンドを出力し、制御基板４１〜４３の各制御手段を介して他の制御機器を間接的に制御する。なお、ＳＷはスイッチを意味し、ＳＯＬはソレノイドアクチュエータを意味する。なお、液晶表示制御手段４３ａは、図１のサブ制御手段１５を構成する。
【００６９】
メイン制御手段１４は、例えば、図示しない抽選手段、保留数記憶手段、判定手段、第１特別図柄決定手段、第２特別図柄決定手段等を備えている。抽選手段は、図示しない第１特別図柄始動入賞口または第２特別図柄始動入賞口への遊技球の入賞に応じて、抽選用カウンタを用いて複数の抽選用数値（乱数値）（例えば、０〜２９９）のうちから１つの数値（抽選値と言う。）を抽出する。また、保留数記憶手段は、ＲＡＭのメモリを介して、抽選手段が抽出した抽選値を記憶する。判定手段は、保留数記憶手段に記憶された未判定の抽選値を１個ずつ読出して、その抽選値が予め設定された当り数値の場合には当りと判定すると共に当り種別を判定し、かつ、当り数値以外の数値の場合には外れと判定する。第１特別図柄決定手段、および第２特別図柄決定手段は、判定手段の判定結果に応じて、第１特別図柄、第２特別図柄に関し、「当り」のときには当りの種別に応じた当り用停止図柄を決定し、「外れ」のときには外れ用停止図柄を決定する。ここで、図柄の決定とは、例えば、出力する画像データの画像識別子を取得することである。
【００７０】
また、図３に示すように、遊技機１は、普通入賞口、第１，第２特別図柄始動入賞口、大入賞口への遊技球の入賞に応じた賞球を払出す為の払出機構４８を有する。払出制御基板４１の払出制御手段４１ａは、メイン制御手段１４から受信した賞球に関する制御コマンドを用いて、払出機構４８の払出モータ４９へ駆動制御信号を出力する。また、払出制御手段４１ａは、払出機構４８の払出計数ＳＷ５０から検出信号を受け付ける。
【００７１】
また、遊技機１は、遊技領域へ遊技球を発射する発射機構５１を具備する。また、遊技者が発射ハンドル（図示しない）を握って発射ＳＷ５２をオンすると、発射制御基板５３の発射制御手段（図示しない）を介して発射機構５１の発射ＳＯＬ５４へ駆動制御信号が出力される。ここで、発射機構５１において、発射制御手段から発射制御許可信号が入力された場合にだけ、発射ＳＯＬ５４への駆動制御信号の出力が許可される。
【００７２】
演出制御基板４２の演出制御手段４２ａは、メイン制御手段１４から当り外れに関する制御コマンドや第１、第２特別図柄の変動表示に関する制御コマンドを受信し、そのコマンドに基づいて装飾図柄の変動表示に関する演出パターンを決定する。
【００７３】
例えば、演出制御手段４２ａは、図５に示す演出パターン対応表を保持している。演出パターン対応表は、「コマンド・信号識別子」と「演出パターン識別子」とを有するレコードを１以上有する。「コマンド・信号識別子」は、演出制御手段４２ａが受信するコマンドまたは信号を識別する情報である。「演出パターン識別子」は、演出パターンを識別する情報である。演出制御手段４２ａは、例えば、受信したコマンドまたは信号に対応する演出パターン識別子を演出パターン対応表から取得することにより、演出パターンを決定する。例えば、演出制御手段４２ａは、コマンド・信号識別子「Ｃ１」を受信した場合、演出パターン対応表から演出パターン「１」を取得する。なお、演出パターン対応表は、ＲＯＭ４２ａ１に格納されている。
【００７４】
そして、演出制御手段４２ａは、演出パターンに従って、スピーカ５５、装飾ランプ５６、２つの役物移動モータ３７を制御すると共に、液晶表示制御手段４３ａを介して液晶ディスプレイ（図示しない）へ識別情報に関する制御コマンドや装飾図柄変動パターン制御コマンドを出力する。演出制御手段４２ａは、液晶ディスプレイの表示画面に表示される演出画像や装飾図柄の変動表示に１対の可動式役物の移動が連動するように２つの役物移動モータ３７を制御する。なお、演出制御手段４２ａは、図１のサブ制御手段１５を構成する。
【００７５】
そして、液晶表示制御基板４３の液晶表示制御手段４３ａは、演出制御手段４２ａから演出表示に関する制御コマンドや装飾図柄制御コマンドや識別情報に関する制御コマンドを受信し、液晶ディスプレイを有する液晶ディスプレイユニットへ駆動制御信号を出力する。演出制御手段４２ａが決定した演出パターンが、コマンドまたは信号を有効に受け付け可能な特定演出を含む場合、液晶表示制御手段４３ａは、当該特定演出に対応する一部または全部の画像データに関して、当該画像データを表示する所定タイミングの前までに、当該一部または全部の画像データの読み出しを第二手段１５２に指示する第一手段１５１を具備する。また、第二手段１５２は、第一手段１５１が指定した画像データを、ＲＯＭ４３ａ１から読み出す。
【００７６】
具体的には、液晶表示制御手段４３ａは、例えば、図６に示す演出パターン管理表を保持している。演出パターン管理表は、「演出パターン識別子」と「演出制御情報」とを有するレコードを１以上格納している。また、「演出制御情報」は、「タイム」「ボタン操作関連フラグ」「先読みフラグ」「画像識別子」を有する。「タイム」は、演出パターンの中での時間（時の遷移）を示す情報である。「タイム」は、通常、相対的な時刻を示す。また、「ボタン操作関連フラグ」は、ボタン操作に基づく信号を受け付けた場合に無効とするか有効とするかを示すフラグである。なお、ここでは、ボタン操作関連フラグの値は、無効とする場合は「０」、有効とする場合は「１」である。また、無効とする場合とは、ボタン操作とは無関係に演出が行われる場合も含む。「先読みフラグ」とは、画像データを表示する所定タイミングの前までに、対応する画像データの読み出しを行うか否かを示すフラグである。なお、ここでは、先読みフラグの値は、先読みを行わない場合は「０」、先読みを行う場合は「１」である。「画像識別子」は、ＲＯＭ４３ａに格納されている画像データを識別する情報である。また、図５、図６の「コマンド・信号識別子」「演出パターン識別子」「演出制御情報」が上述した演出パターン情報の例である。また、先読みフラグは、操作前特定演出、および操作後特定演出を区別する情報である、とも言える。また、演出パターン管理表は、ＲＯＭ４３ａ１に格納されている。
【００７７】
そして、例えば、液晶表示制御手段４３ａは、演出制御手段４２ａから、決定された演出パターンの演出パターン識別子「１」を受信した場合、液晶表示制御手段４３ａは、演出パターン識別子「１」に対応する演出制御情報を、演出パターン管理表から読み出す。なお、かかる演出制御情報は、図７に示す演出を実現する情報である。
【００７８】
図７において、演出の開始が時間「ｔ１」であり、演出の終了が時間「ｔ９」である。つまり、演出パターンは「ｔ１」から「ｔ９」まで実行される演出を示す。そして、「ｔ１」から「ｔ９」までは図７の（３）の期間であり、液晶表示制御手段４３ａは、図６の先読みフラグ「０」に対応して、演出の進行に応じて、ボタン操作とは無関係の演出画像（図６のＩＭＧ０１，ＩＭＧ０２,・・・，ＩＭＧ０Ｎ）を読み出し、液晶ディスプレイユニットへ送付する。そして、液晶ディスプレイに、かかる演出画像が順次、表示される。なお、ここでの演出画像は、背景画像、キャラクタ画像、保留画像、装飾図柄（３桁図柄、第四図柄等）画像等である。
【００７９】
そして、図７により、例えば、時間「ｔ１」の時の液晶の表示が「２４６」である、とする。また、時間「ｔ２」で高速変動が行われる。また、時間「ｔ２」から「ｔ３」の間は、図６のボタン操作関連フラグ「０」が示すようにボタン操作無効期間である。また、時間「ｔ２」から「ｔ３」の間は、先読みフラグが「０」である。つまり、液晶表示制御手段４３ａは、ボタン操作を無効として扱い、また、画像データを先読みせず、演出の進行に応じて、図６に示す演出画像（ＩＭＧ１１，・・・，ＩＭＧ１Ｍ）の読み出しを行い、液晶ディスプレイユニットへ送付する。そして、液晶ディスプレイに、かかる演出画像が順次、表示される。なお、ここでの演出画像は、ボタン画像、ボタンの押下を促す報知画像（PUSH！など）等である。なお、時間「ｔ２」から「ｔ３」の間の演出（図７の（１）の演出）は、上述した操作前特定演出である。
【００８０】
そして、時間「ｔ３」から「ｔ４」の間は、図６のボタン操作関連フラグ「１」が示すようにボタン操作有効期間である。また、時間「ｔ３」から「ｔ４」の間は、先読みフラグが「１」である。よって、液晶表示制御手段４３ａは、ボタン操作を有効として扱い、また、画像データを先読みする。つまり、液晶表示制御手段４３ａは、図６に示す演出画像（ＩＭＧ２１，・・・，ＩＭＧ２Ｐ）の読み出しを、時間「ｔ３」までに完了する。そして、液晶表示制御手段４３ａは、演出の進行に応じて、先読みしていた画像データを液晶ディスプレイユニットへ送付する。そして、液晶ディスプレイに、かかる演出画像が順次、表示される。なお、ここでの演出画像は、カットイン画像、吹き出し画像、キャラクタ画像等である。また、上記の例では、画像データの読み出しは、時間「ｔ３」までに完了した。しかし、画像データの読み出しは、特定演出のうちで、所定タイミングの前（例えば、変動開始時、特定演出の開始時からボタン操作有効期間の開始前までの期間等）までであれば良い。なお、所定タイミングの前までとは、演出の進行に応じて読み出すのではなく、所定タイミングの前までに、事前に先読みすることを意味する。また、時間「ｔ３」から「ｔ４」の間の演出（図７の（２）の演出）は、上述した操作後特定演出である。
【００８１】
次に、図７によれば、時間「ｔ５」において、リーチを示す画像データ（例えば、「７↓７」が読み出され、表示される。
【００８２】
次に、時間「ｔ６」から「ｔ７」において、液晶表示制御手段４３ａは、図６の先読みフラグ「０」に対応して、演出の進行に応じて、ボタン操作とは無関係の演出画像（図６のＩＭＧ４１，・・・，ＩＭＧ４Ｑ）を読み出し、液晶ディスプレイユニットへ送付する。そして、液晶ディスプレイに、かかる演出画像が順次、表示される。
【００８３】
次に、時間「ｔ７」から「ｔ８」において、液晶表示制御手段４３ａは、図６の先読みフラグ「１」に対応して、演出画像（ＩＭＧ５１，・・・，ＩＭＧ５Ｒ）を先読みする。そして、液晶表示制御手段４３ａは、演出の進行に応じて、先読みしていた画像データを液晶ディスプレイユニットへ送付する。そして、液晶ディスプレイに、かかる演出画像が順次、表示される。
【００８４】
そして、時間「ｔ９」において、大当たりを示す「７７７」が液晶に表示される。
【００８５】
また、演出制御基板４２の受付手段１３は、操作手段１２の操作に基づき所定の信号を受信する。そして、演出制御手段４２ａは、受付手段１３が受信した信号を用いて、演出制御を行う。なお、上述したように、受付手段１３が受信した信号を用いて演出制御が行われるのは、例えば、ボタン操作有効期間である。
【００８６】
なお、図７の遊技機１において、主基板コマンドに基づいて実行される所定の演出期間中に、操作手段１２を用いた操作演出を実行可能に構成されている。
【００８７】
以上、本実施の形態によれば、処理能力が低いＣＰＵ等を利用した場合でも、高品質な演出を少なくとも一部に行うことができる。
【００８８】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。
【００８９】
また、上記各実施の形態において、各処理（各機能）は、単一の装置（システム）によって集中処理されることによって実現されてもよく、あるいは、複数の装置によって分散処理されることによって実現されてもよい。
【００９０】
本発明は、以上の実施の形態に限定されることなく、種々の変更が可能であり、それらも本発明の範囲内に包含されるものであることは言うまでもない。
【産業上の利用可能性】
【００９１】
以上のように、本発明にかかる遊技機は、処理能力が低いＣＰＵ等を利用した場合でも、高品質な演出を一部に行うことができる、という効果を有し、遊技機等として有用である。
【符号の説明】
【００９２】
１  遊技機
１１  記憶手段
１２  操作手段
１３  受付手段
１４  メイン制御手段
１５  サブ制御手段
１６  演出手段
２２  ランプ表示基板
２４  図柄表示基板
４０  主制御基板
４１  払出制御基板
４２  演出制御基板
４３  液晶表示制御基板
４４  電源基板
４８  払出機構
５１  発射機構
５３  発射制御基板
１５１  第一手段
１５２  第二手段
【図１】
0005564072.tif 000002
【図２】
0005564072.tif 000003
【図３】
0005564072.tif 000004
【図４】
0005564072.tif 000005
【図５】
0005564072.tif 000006
【図６】
0005564072.tif 000007
【図７】
0005564072.tif 000008